(57)【要約】【課題】吸気口から吸気ファンにより吸気される空気の外装部材の温度上昇に起因する温度上昇を抑制することで、効率よく外部出力装置の内部を冷却して放熱効果を高める仕組みを提供する。【解決手段】撮像装置は、撮影機能を有する装置本体１０と、装置本体１０で撮影した映像データを外部接続機器に出力する外部出力装置１００とを備える。外部出力装置１００は、吸気口１１２が形成された第１の外装部材１１０と、排気口１１３が形成された第２の外装部材１１１と、吸気口１１２に対向して配置され、吸気口１１２から外部の空気を吸気する吸気ファン１１５と、排気口１１３に対向して配置され、排気口１１３から空気を外部に排出する排気ファン１１６と、を有する。第１の外装部材１１０は、樹脂材料で形成され、第２の外装部材１１は、金属材料で形成される。【選択図】図２
2013219590.tif 000002
【特許請求の範囲】
【請求項１】
撮影機能を有する装置本体と、前記装置本体で撮影した映像データを外部接続機器に出力する外部出力装置とを備える撮像装置であって、
前記外部出力装置は、吸気口が形成された第１の外装部材と、排気口が形成された第２の外装部材と、前記吸気口に対向して配置され、前記吸気口から外部の空気を吸気する吸気ファンと、前記排気口に対向して配置され、前記排気口から空気を外部に排出する排気ファンと、を有し、
前記第１の外装部材は、樹脂材料で形成され、前記第２の外装部材は、金属材料で形成されることを特徴とする撮像装置。
【請求項２】
前記外部出力装置は、前記映像データを前記外部接続機器に出力する出力端子を有し、  前記出力端子は、前記第１の外装部材に配置されることを特徴とする請求項１に記載の撮像装置。
【請求項３】
前記排気ファンにより前記排気口から空気が排出される方向と前記出力端子にプラグを挿入する方向とが異なることを特徴とする請求項２に記載の撮像装置。
【請求項４】
前記排気口は、前記吸気口の上側位置で前記第２の外装部材に形成されることを特徴とする請求項１乃至３のいずれか一項に記載の撮像装置。
【請求項５】
前記外部出力装置には、映像信号を処理する基板が内蔵され、
前記吸気ファンは、前記基板に実装された熱源に対して斜めに配置され、
前記吸気ファンにより前記吸気口から吸気された外部の空気は前記熱源に沿って流れた後、前記第２の外装部材の内壁に当たり、
前記第２の外装部材の内壁に当たった空気は上昇して前記排気ファンにより前記排気口から外部に排出されることを特徴とする請求項４に記載の撮像装置。
【発明の詳細な説明】
【技術分野】
【０００１】
本発明は、外部接続機器に対して映像信号を出力する外部出力装置を備える、例えばデジタルビデオカメラ等の撮像装置に関する。
【背景技術】
【０００２】
デジタルビデオカメラ等の撮像装置、特に業務用の撮像装置では、高解像度の映像信号処理等に多大な電力が必要となり、映像信号処理を行うＩＣが実装された基板における発熱量が大きくなっている。このため、マグネシウム合金等の金属材料で形成した装置本体の外装部材に吸気口及び排気口を設けるとともに、装置本体の内部にファンを設けることにより、冷却効率を高めた技術が提案されている（特許文献１）。
【先行技術文献】
【特許文献】
【０００３】
【特許文献１】特開２００１−７５４４号公報
【発明の概要】
【発明が解決しようとする課題】
【０００４】
しかし、上記特許文献１では、マグネシウム合金等の外装部材に吸気口を形成した場合、内部の温度上昇に伴い、外装部材の温度が上昇するため、ファンにより吸気口から内部に吸気される空気の温度も上昇し、十分な放熱効果を得ることが難しい。
【０００５】
そこで、本発明は、吸気口から吸気ファンにより吸気される空気の外装部材の温度上昇に起因する温度上昇を抑制することで、効率よく外部出力装置の内部を冷却して放熱効果を高める仕組みを提供することを目的とする。
【課題を解決するための手段】
【０００６】
上記目的を達成するために、本発明の撮像装置は、撮影機能を有する装置本体と、前記装置本体で撮影した映像データを外部接続機器に出力する外部出力装置とを備える撮像装置であって、前記外部出力装置は、吸気口が形成された第１の外装部材と、排気口が形成された第２の外装部材と、前記吸気口に対向して配置され、前記吸気口から外部の空気を吸気する吸気ファンと、前記排気口に対向して配置され、前記排気口から空気を外部に排出する排気ファンと、を有し、前記第１の外装部材は、樹脂材料で形成され、前記第２の外装部材は、金属材料で形成されることを特徴とする。
【発明の効果】
【０００７】
本発明によれば、吸気口から吸気ファンにより吸気される空気の外装部材の温度上昇に起因する温度上昇を抑制することができるので、効率よく外部出力装置の内部を冷却して放熱効果を高めることができる。
【図面の簡単な説明】
【０００８】
【図１】本発明の撮像装置の実施形態の一例であるデジタルビデオカメラのブロック図である。
【図２】デジタルビデオカメラの外観斜視図である。
【図３】外部出力装置から吸気口カバー及び排気口カバーを取り外した状態を示す斜視図である。
【図４】外部出力装置の側面図である。
【図５】図４のＸ−Ｘ線断面図である。
【図６】外部出力装置の一部を上方から見た図である。
【発明を実施するための形態】
【０００９】
以下、本発明の実施形態の一例を図面を参照して説明する。
【００１０】
図１は、本発明の撮像装置の実施形態の一例であるデジタルビデオカメラのブロック図である。
【００１１】
本実施形態のデジタルビデオカメラは、撮影機能を有するカメラ本体１０、及びカメラ本体１０で撮影した映像データを不図示の外部接続機器に出力する外部出力装置１００を備える。ここで、カメラ本体１０は、本発明の装置本体の一例に相当する。
【００１２】
カメラ本体１０は、撮像レンズ１１、センサ１２、Ａ／Ｄコンバータ１３、カメラ信号記録再生回路１４、操作入力部１６、制御部１７、表示部２１、ファン２５、出力信号処理回路１８、出力端子２０、及び出力信号選択回路１９等を具備する。
【００１３】
撮像レンズ１１は、被写体光を集束させてセンサ１２へと導く。また、撮像レンズ１１は、不図示のズーム光学系、フォーカス光学系、及びアイリス機構等を備える。センサ１２は、制御部１７からの指示に従い、例えば一秒間に特定のコマ数で撮像して被写体光をアナログ信号に変換し、Ａ／Ｄコンバータ１３へ出力する。Ａ／Ｄコンバータ１３は、センサ１２から出力されたアナログ信号をデジタル信号に変換してカメラ信号記録再生回路１４へ出力する。
【００１４】
カメラ信号記録再生回路１４は、Ａ／Ｄコンバータ１３から出力されたデジタル信号を映像として半導体メモリやＨＤＤ等の記録媒体１５へ記録したり、記録媒体１５に記録された映像を再生したり、出力信号選択回路１９に対して映像信号等を出力したりする。また、カメラ信号記録再生回路１４は、制御部１７からの指示により出力する映像信号の垂直同期信号の周波数を変更したりする。
【００１５】
操作入力部１６は、ユーザにより操作されるボタンスイッチや切り替えスイッチなどのインターフェース部である。操作入力部１６でのユーザ操作により、その操作信号が制御部１７に送られて各デバイスが制御される。制御部１７は、ＣＰＵ等を備え、デジタルビデオカメラ全体を制御する。制御部１７は、操作入力部１６でのユーザ操作に基づく操作信号を各デバイスに送るだけでなく、動作モードやユーザ操作に応じたシステム制御なども行う。
【００１６】
出力信号選択回路１９は、カメラ信号記録再生回路１４から出力された映像信号や同期信号を制御部１７による制御によって選択する。同期信号とは、コンポジットビデオ信号の映像部に黒レベルを出力し、水平同期信号、垂直同期信号、カラーバースト信号のみを含んだブラックバースト信号や、ＨＤコンポーネント輝度信号の水平同期信号、垂直同期信号のみを含んだ３値同期信号を表わす。これらの信号は、出力信号処理回路１８へ出力される。
【００１７】
出力信号処理回路１８は、出力信号選択回路１９から出力された信号に対して出力端子２０から外部接続機器に対して出力可能な信号振幅になるように処理を行い、出力端子２０へと出力する。出力端子２０は、不図示の外部接続機器へ映像信号や同期信号を出力する。表示部２１は、ＬＣＤ等で構成され、制御部１７による制御により、ユーザに対して必要な情報を表示する。ファン２５は、制御部１７からの制御により既定された回転数で回転して空冷によりカメラ本体１０の内部を冷却する。
【００１８】
外部出力装置１００は、カメラ本体１０と電気的に接続され、カメラ信号出力回路１０３、映像信号出力回路１０２ａ〜１０２ｄ、出力端子１０１ａ〜１０１ｄ、吸気ファン１１５、及び排気ファン１１６を備える。
【００１９】
カメラ信号出力回路１０３は、カメラ本体１０のカメラ信号記録再生回路１４から出力されたデジタル信号を映像として映像信号出力回路１０２ａ〜１０２ｄに出力する。
【００２０】
映像信号出力回路１０２ａ〜１０２ｄは、カメラ信号出力回路１０３から出力された信号に対して出力端子１０１ａ〜１０１ｄから不図示の外部接続機器に出力可能な信号振幅になる処理を施し、処理後の信号を出力端子１０１ａ〜１０１ｄへ出力する。
【００２１】
出力端子１０１ａ〜１０１ｄは、外部接続機器に対して映像信号や同期信号を出力する。吸気ファン１１５及び排気ファン１１６は、制御部１７による制御により既定された回転数で回転して外部出力装置１００の内部を冷却する。
【００２２】
図２は、デジタルビデオカメラの外観斜視図である。図２に示すように、カメラ本体１０には、上述した撮像レンズ１１、表示部２１及び操作入力部１６等が設けられる。また、カメラ本体１０には、保護カバー２２，２３が設けられ、保護カバー２２の内部には、記録媒体１５が着脱可能に装着されるスロット等が設けられ、保護カバー２３の内部には、出力端子２０が設けられる。
【００２３】
外部出力装置１００は、本体接続カバー１２０、排気口カバー１１１、及び吸気口カバー１１０により外装が形成され、本体接続カバー１２０がカメラ本体１０にネジ等により固定される。ここで、吸気口カバー１１０は、本発明の第１の外装部材の一例に相当し、排気口カバー１１１は、本発明の第２の外装部材の一例に相当する。
【００２４】
ところで、カメラ本体１０は、撮像系、制御系、記録系、各記録メディアの収納部及び出力端子等を内蔵する為、比較的体積が大きくなる。一方、外部出力装置１００は、外部接続機器への出力のみの機能を有する為、また、小型化の要求が強い為、比較的体積が小さく、本実施形態では、外部出力装置１００とカメラ本体１０との体積比は、約８：１とされている。また、外部出力装置１００における信号処理には、多大な消費電力を必要とする為、本実施形態では、カメラ本体１０と外部出力装置１００との消費電力比は、約３：２とされている。
【００２５】
カメラ本体１０は、消費電力に対して十分な体積を有する為、カメラ本体１０の内部に１つのファン２５を配設して内部の熱を排出することで、カメラ性能を確保できる温度まで冷却することが可能である。一方、外部出力装置１００は、消費電力に対する体積が小さい為、外部出力装置１００全体に熱を拡散させても、装置性能を確保する温度まで冷却することが難しい。また、外部出力装置１００の外装は、ユーザが触れる箇所である為、ユーザに不快感を与えない温度まで冷却することが求められる。
【００２６】
以下、外部出力装置１００の冷却構造について説明する。図３は、外部出力装置１００から吸気口カバー１１０及び排気口カバー１１１を取り外した状態を示す斜視図である。
【００２７】
排気口カバー１１１及び本体接続カバー１２０は、堅牢性と放熱効率に優れる例えばマグネシウム合金等の金属材料で形成され、吸気口カバー１１０は、金属と比べて断熱性が高い樹脂材料で形成される。
【００２８】
排気口カバー１１１の上部には、外部出力装置１００の内部の空気を外部に排出する排気口１１３が形成され、吸気口カバー１１０の下部には、外部の空気を外部出力装置１００の内部に吸気する吸気口１１２が形成されている。すなわち、排気口１１３は、吸気口１１２の上側位置で排気口カバー１１１に形成される。
【００２９】
図４は外部出力装置１００の側面図、図５は図４のＸ−Ｘ線断面図、図６は外部出力装置１００の一部を上方から見た図である。なお、図４では、説明の便宜上、排気口カバー１１１を透明にして図示している。
【００３０】
図４に示すように、吸気口カバー１１０の外面側には、出力端子１０１ａ〜１０１ｄが配設され、吸気口カバー１１０の吸気口１１２の内面側には、吸気口１１２から外部の空気を吸気するための吸気ファン１１５が吸気口１１２に対向して配設されている。また、排気口カバー１１１の排気口１１３の内面側には、外部出力装置１００の内部の空気を外部に排出するための排気ファン１１６が排気口１１３に対向して配設されている。
【００３１】
また、基板２０１は、外部出力装置１００の高さ方向と撮像レンズ１１の光軸方向との二軸からなる面に対して略平行に配設されている。基板２０１には、映像信号出力回路１０２ａ〜１０２ｄを構成するＩＣ２０５が実装されている。ＩＣ２０５は、映像信号を外部に出力する処理を行うため、比較的発熱量が大きい熱源である。このため、ＩＣ２０５の上面側には、放熱用のヒートシンク２００、及び放熱板金２０２が取り付けられる。ヒートシンク２００、及び放熱板金２０２は、熱伝導性が高い銅やアルミニウムなどの金属材料で形成される。
【００３２】
図５に示すように、吸気ファン１１５は、基板２０１のＩＣ２０５の実装面に対して斜めに配置される。吸気ファン１１５により吸気口１１２から吸気された外部の空気は、図中矢印に示すように、ヒートシンク２００に当たると共に、ヒートシンク２００の隙間をＩＣ２０５の上面に沿って流れる。そして、ヒートシンク２００の隙間を通過した空気が当たる位置に排気口カバー１１１が配置され、排気口カバー１１１の内壁に当たった空気は上昇した後、排気ファン１１６により排気口１１３から外部に排出される。
【００３３】
また、図６を参照して、外部出力装置１００の上部に配置された排気ファン１１６により排気口１１３から排出される空気の排出方向１４０と出力端子１０１ａ〜１０１ｄにユーザが外部接続機器のプラグ（不図示）を挿入する方向１５０とを異ならせている。これにより、ユーザが出力端子１０１ａ〜１０１ｄに外部接続機器のプラグ（不図示）を挿抜する際に、外部出力装置１００の内部で温められた空気がユーザの手に当たることがないので、ユーザに不快感を与えないようにすることができる。
【００３４】
更に、外部出力装置１００の内部においては、吸気ファン１１５により吸気された空気、及び熱源で温められた空気が上方に集まる特性から、図４の矢印で示す空気の流れが生じる。ここで、排気口１１３及び排気ファン１１６は、図４に示す空気の流れが出力端子１０１ａ〜１０１ｄに到達する位置より上流側に配置される。これにより、外部出力装置１００の内部の温かい空気が出力端子１０１ａ〜１０１ｄに到達する前に排気口１１３から外部に排出されるので、ユーザが触れる出力端子１０１ａ〜１０１ｄ近傍の温度上昇を抑制することができる。
【００３５】
以上説明したように、本実施形態では、排気口１１３が形成される排気口カバー１１１をマグネシウム合金等の金属材料で形成し、吸気口１１２が形成される吸気口カバー１１０を金属と比べて断熱性が高い樹脂材料で形成している。これにより、外部出力装置１００の温度が上昇した場合の吸気口カバー１１０の温度上昇を排気口カバー１１１に比べて抑えることができる。この結果、吸気口１１２から吸気ファン１１５により吸気される空気の吸気口カバー１１０の温度上昇に起因する温度上昇を抑制することができ、吸気した空気で効率よく外部出力装置１００の内部を冷却して放熱効果を高めることができる。
【００３６】
また、本実施形態では、樹脂材料の吸気口カバー１１０に出力端子１０１ａ〜１０１ｄを配置しているので、出力端子１０１ａ〜１０１ｄに外部接続機器のプラグを挿抜する際に、ユーザが吸気口カバー１１０に触れても不快感を与えないようにすることができる。
【００３７】
なお、本発明の構成は、上記実施形態に例示したものに限定されるものではなく、形状、寸法、形態、数、配置箇所等は、本発明の要旨を逸脱しない範囲において適宜変更可能である。
【符号の説明】
【００３８】
１０  カメラ本体
１００  外部出力装置
１１０  吸気口カバー
１１１  排気口カバー
１１２  吸気口
１１３  排気口
１１５  吸気ファン
１１６  排気ファン
２００  ヒートシンク
２０２  放熱板金
【図１】
2013219590.tif 000003
【図２】
2013219590.tif 000004
【図３】
2013219590.tif 000005
【図４】
2013219590.tif 000006
【図５】
2013219590.tif 000007
【図６】
2013219590.tif 000008